(57)【要約】【課題】本体の薄形化を図ることのできる換気装置を提供することを目的とする。【解決手段】内部にモータ２により駆動されるターボファン３を有し室内側給気口４と室内側給気口５を設けた本体６内にターボファン３から室内側給気口４に送る第一の通風路７と、ターボファン３から室内側給気口４に送る第２の通風路８とを設け、第２の通風路８をターボファン３の反吸込側に設けたことにより、本体６の薄形化を図ることのできる換気装置を得られる。【選択図】図１
2006029616.tif 000002
【特許請求の範囲】
【請求項１】
内部にモータにより駆動されるターボファンを有し、室外側給気口と室内側給気口を設け室内の壁面に設置される本体と、この本体内に前記ターボファンから吐出された風を前記室内側給気口に送る第１の通風路と、前記ターボファンから吐出された風を、前記本体の内側を通り、前記室内側給気口に送る第２の通風路とを備え、前記第２の通風路を前記ターボファンの反吸込側に設けた換気装置。
【請求項２】
第２の通風路にターボファンを駆動するモータを露出せしめる構成とした請求項１に記載の換気装置。
【請求項３】
第２の通風路が広くなるように本体前面の略中央部に湾曲部を設け膨出した請求項１または２に記載の換気装置。
【請求項４】
室内側給気口を、第１の通風路と連通する第１の室内側給気口と、第２の通風路に連通する第２の室内側給気口とに分離し、前記第１の室内側給気口と、第２の室内側給気口を本体の同一面に形成した請求項１〜３のいずれかに記載の換気装置。
【請求項５】
第１の室内側給気口と、第２の室内側給気口は、第１の通風路と第２の通風路に仕切られて連通している請求項４に記載の換気装置。
【請求項６】
モータが収納できる凹状のモータ取付板に前記モータを取り付ける構成とした請求項１に記載の換気装置。
【請求項７】
第１の通風路に連通する第１の室内側給気口と、第２の通風路に連通する第２の室内側給気口を本体の異なる面に設けた請求項１〜３のいずれかに記載の換気装置。
【請求項８】
第１の室内側給気口を本体の上面に設け、第２の室内側給気口を本体の前面に設けた請求項７に記載の換気装置。
【請求項９】
第２の通風路に流れる空気流を所定方向に吹き出すガイド部を第２の室内側給気口に設けた請求項４，５，７または８に記載の換気装置。
【請求項１０】
室外側給気口と連通するダクトおよびターボファンの中心位置を本体の中心位置より上方にずらし、第２の通風路を形成するターボファンと本体下面との空間を広げるように形成した請求項１〜９のいずれかに記載の換気装置。
【請求項１１】
第１の室内側給気口または第２の室内側給気口のいずれか一方を開放し、他方を閉鎖する開閉手段を設けた請求項４記載の換気装置。
【請求項１２】
前記ターボファンで構成される給気用換気手段と排気用換気手段とを一体的に設け、前記排気用換気手段と連通して設けた室外側排気口を前記室外側給気口と並設して設けた請求項１〜１１のいずれかに記載の換気装置。
【発明の詳細な説明】
【技術分野】
【０００１】
本発明は、室内の壁面に設けられて、ターボファンを用いて薄形化を図ることのできる換気装置に関する。
【背景技術】
【０００２】
従来、この種の換気装置の一例として壁取付用換気扇が知られている（例えば、特許文献１参照）。
【０００３】
以下、その壁取付用換気扇について、図７を参照しながら説明する。
【０００４】
図に示すように、モータ１０１の回転軸１０２を室内壁面１０３とほぼ垂直となるように取り付けた本体１０４と、その一部が室内壁面１０３を貫通するダクト内に収納されるモータ１０１と、モータ１０１の回転軸１０２に固着されモータ１０１側と反対側より吸い込む排気用遠心力ファン１０５とモータ１０１側より吸い込む吸気用遠心力ファン１０６が一体化されたファン１０７とを設け、給気通路１０８より給気した給気流は吸気用遠心力ファン１０６により吐出部１０９に送られ室内に給気するように構成していた。
【０００５】
また、他の従来例として、外気を室内に給気するものとしてパイプファンが知られている（例えば、特許文献２参照）。
【０００６】
以下、そのパイプファンについて、図８を参照しながら説明する。
【０００７】
図に示すように、パイプファン１１０は、室内１１１と室外１１２とを連通する通気口１１３に設けられ、モータ１１４により駆動され、通気口１１３を通って外気を室内に吸気する吸気ファン１１５と、吸気ファン１１５と同軸に配置されてモータ１１４により駆動され、室内１１１の空気を吸い込むとともに、吸い込んだ空気を吸気ファン１１５によって吸い込まれた空気と混合して室内１１１に吐出する循環ファン１１６を設けていた。
【特許文献１】特開昭５８−７８０３１号公報（第２頁、第３頁、第１図）
【特許文献２】特開２００２−７１１８５号公報（［００１３］［００１４］図１）
【発明の開示】
【発明が解決しようとする課題】
【０００８】
このような従来の壁取付用換気扇においては、モータ１０１の一部が室内壁面１０３の室外側に位置しているが、モータ１０１およびファンを室内側に設ける配置とした場合、換気特性を満たすためには本体１０４を厚く形成する必要があり、本体を薄形に形成できないという課題があった。
【０００９】
また、パイプファンにおいては、モータ１１４の全部が室内壁部内に収納されているが、モータおよびファンを室内側に設ける配置とした場合、必要な給気特性を満たすためには、パイプファンの全体形状を厚くする必要があり、パイプファン１１０の薄形化が困難となるという課題があった。
【００１０】
本発明は、このような従来の課題を解決するものであり、本体の薄形化を図ることのできる換気装置を提供することを目的としている。
【課題を解決するための手段】
【００１１】
本発明の換気装置は上記目的を達成するために、内部にモータにより駆動されるターボファンを有し、室外側給気口と室内側給気口を設け、室内の壁面に設置される本体と、この本体内に前記ターボファンから吐出された風を前記室内側給気口に送る第１の通風路と、前記ターボファンから吐出された風を、前記本体の内側を通り前記室内側給気口に送る第２の通風路とを備え、前記第２の通風路を前記ターボファンの反吸込側に設けたものである。
【００１２】
この手段により、本体の薄形化が図られ、風量の増加により換気効率を向上することのできる換気装置が得られる。
【００１３】
また、他の手段は、第２の通風路にターボファンを駆動するモータを露出せしめる構成としたものである。
【００１４】
この手段により、モータの冷却効果を高めることのできる換気装置が得られる。
【００１５】
また、他の手段は、第２の通風路が広くなるように本体前面の略中央部に湾曲部を設け膨出したものである。
【００１６】
この手段により、モータの冷却効果を高めることができるとともに、デザイン的効果を高めることができる。
【００１７】
また、他の手段は、室内側給気口を、第１の通風路と連通する第１の室内側給気口と、第２の通風路に連通する第２の室内側給気口とに分離し、前記第１の室内側給気口と、第２の室内側給気口を本体の同一面に形成したものである。
【００１８】
この手段により、流路抵抗が減少し、換気効率を向上することができる換気装置が得られる。
【００１９】
また、他の手段は、第１の室内側給気口と、第２の室内側給気口は第１の通風路と第２の通風路に仕切られて連通しているものである。
【００２０】
この手段により、騒音の増大するのを防ぐことができる。
【００２１】
また、他の手段は、モータが収納できる凹状のモータ取付板に前記モータを取り付ける構成としたものである。
【００２２】
この手段により、第２の通風路内の通気抵抗が少なくなり、換気効率が向上する換気装置が得られる。
【００２３】
また、他の手段は、第１の通風路に連通する第１の室内側給気口と、第２の通風路に連通する第２の室内側給気口を本体の異なる面に設けたものである。
【００２４】
この手段により、開口面積を増やすことができ、換気効率を向上することができる。
【００２５】
また、他の手段は、第１の室内側給気口を本体の上面に設け、第２の室内側給気口を本体の前面に設けたものである。
【００２６】
この手段により、コールドドラフトおよび天井の汚れ対策が可能となる。
【００２７】
また、他の手段は、第２の通風路に流れる空気流を所定方向に吹き出すガイド部を第２の室内側給気口に設けたものである。
【００２８】
この手段により、コールドドラフトおよび天井の汚れ対策が可能となる。
【００２９】
また、他の手段は室外側給気口と連通するダクトおよび、ターボファンの中心位置を、本体の中心位置より上方にずらし、第２の通風路を形成するターボファンと本体下面との空間を広げるように形成したものである。
【００３０】
この手段により、第２の通風路の通気抵抗が少なくなり空気流がスムーズに流れ、換気効率を向上することができる換気装置が得られる。
【００３１】
また、他の手段は、第１の室内側給気口または、第２の室内側給気口のいずれか一方を開放し、他方を閉鎖する開閉手段を設けたものである。
【００３２】
この手段により、コールドドラフトの対策ができる。
【００３３】
また、他の手段は前記ターボファンで構成される給気用換気手段と、排気用換気手段とを一体的に設け、前記排気用換気手段と連通して設けた室外側排気口を前記室外側給気口と並設して設けたものである。
【００３４】
この手段により、給気と排気を同時に行なうことのできる換気装置が得られる。
【発明の効果】
【００３５】
本発明によれば、本体の薄形化、換気効率の向上を図ることのできる換気装置を提供できる。
【００３６】
また、モータの冷却効果を高めることができる換気装置が提供できる。
【００３７】
また、騒音の増大するのを防ぐことができる。
【００３８】
また、コールドドラフトおよび天井の汚れ対策が可能となる。
【発明を実施するための最良の形態】
【００３９】
本発明の請求項１記載の発明は、内部にモータにより駆動されるターボファンを有し、室外側給気口と室内側給気口とを設け室内の壁面に設置される本体と、この本体内に前記ターボファンから吐出された風を前記室内側給気口に送る第１の通風路と、前記ターボファンから吐出された風を、前記本体の内側を通り、前記室内側給気口に送る第２の通風路とを備え、前記第２の通風路を前記ターボファンの反吸込側に設けたものであり、ターボファンの外周の２方向から吐出される空気の一方は第１の通風路を通り、他方は第２の通風路を通り、室内側給気口より給気されることとなり、ファンの一方向からのみ給気される場合と比較して給気風量が多くなるとともにターボファンはモータの前半分を覆う形状に設けられることにより、モータとターボファンを含めた厚み方向の寸法は小さくなり本体の薄形化を図ることができ、また、第２の通風路は、ターボファンの反吸込口側の空間を利用して形成できるので、本体の厚み寸法を厚くしないでこの空間を有効に活用して給気特性が向上するという作用を有する。
【００４０】
また、請求項２記載の発明は、第２の通風路にターボファンを駆動するモータを露出せしめる構成としたものであり、第２の通風路を通る給気流がモータに接触して給気されることによりモータの冷却効果が高められるとともに、モータの温度上昇が緩和されることにより、モータを小形化することが可能となり、全体として本体の薄形化に寄与できるという作用を有する。
【００４１】
また、請求項３記載の発明は、第２の通風路が広くなるように本体前面の略中央部に湾曲部を設け膨出したものであり、第２の通風路が広くなることにより、第２の通風路とモータを露出させた場合にはモータの露出面積を多くすることが可能となり、モータの冷却効果を更に高めることができる。
【００４２】
また、本体の前面部に膨出することによって第２の通風路の風路抵抗を低減して給気特性が高められるとともに、本体の前面壁がゆるやかなＲを形成し、本体を薄くみせて意匠的効果も高められるという作用を有する。
【００４３】
また、請求項４記載の発明は、室内側給気口を第１の通風路と連通する第１の室内側給気口と第２の通風路に連通する第２の室内側給気口とに分離し、前記第１の室内側給気口と、第２の室内側給気口を本体の同一面に形成したものであり、第１の室内側給気口と、第２の室内側給気口は、第１の通風路と第２の通風路にそれぞれ設けられていることにより、第１の室内側給気口と第２の室内側給気口による開口面積を増やすことができ、流路抵抗力も少なくなって換気効率が高められるという作用を有する。
【００４４】
また、請求項５記載の発明は、第１の室内側給気口と、第２の室内側給気口は、第１の通風路と、第２の通風路に仕切られて連通しているものであり、第１の通風路と第２の通風路に仕切られた状態で第１の室内側給気口と第２の室内側給気口に連通していることにより、第１の通風路と第２の通風路内に流れる給気流は互いに干渉されることがなくなり、互いに干渉することによる騒音の発生が防止できるという作用を有する。
【００４５】
また、請求項６記載の発明は、モータが収納できる凹状のモータ取付板に前記モータを取り付ける構成としたものであり。モータが第２の通風路内に突出する度合いを小さくすることにより、第２の通風路の通気抵抗が少なくなり、換気効率を高めることができるという作用を有する。
【００４６】
また、請求項７記載の発明は、第１の通風路に連通する第１の室内側給気口と、第２の通風路に連通する第２の室内側給気口を本体の異なる面に設けたものであり、第１の室内側給気口と第２の室内側給気口の位置を、本体の異なる面に設けることにより、第１の室内側給気口と第２の室内側給気口のそれぞれから吹き出される給気流は互いに干渉されることがなくなり、また、部屋内に全体的に給気流を行き渡らせることができ、互いの給気口の開口面積を変えることが可能となり、第１の室内側給気口と第２の室内側給気口の開口面積を増やすことにより、換気効率の向上を図ることができるという作用を有する。
【００４７】
また、請求項８記載の発明は、第１の室内側給気口を本体の上面に設け、第２の室内側給気口を、本体の前面に設けたものであり、第１の室内側給気口と、第２の室内側給気口が本体の同一面にある場合で、本体の天面に設けられる場合には、第１の室内側給気口と第２の室内側給気口から吹き出される空気が天井面に向かうこととなり、本体の設置場所によっては、天井面を汚すこととなったり、第１の室内側給気口と第２の室内側給気口を本体の前面に設けた場合には、本体の設置場所によっては居住者にコールドドラフト感を与えることになったりするのを、緩和する対策を取ることができるという作用を有する。
【００４８】
また、請求項９記載の発明は、第２の通風路に流れる空気流を所定の方向に吹き出すガイド部を第２の室内側給気口に設けたものであり、第２の室内側給気口からの給気流は、ガイド部によって所定の方向にスムーズに案内され給気されることとなり、風向を調節することにより居住者にコールドドラフト感を与えること、および天井面に向かい吹き出す気流を少なくして天井面の汚れを緩和すること等の対策を取ることができるという作用を有する。
【００４９】
また、請求項１０記載の発明は、室外側給気口と連通するダクトおよびターボファンの中心位置を本体の中心位置より上方にずらし、第２の通風路を形成するターボファンと本体下面の空間を広げるように形成したものであり、本体の厚み寸法を厚くすることなく、第２の通風路に流れ込ませる気流の流れがスムーズに行なわれ、通風抵抗も減少して換気効率も向上するという作用を有する。
【００５０】
また、請求項１１記載の発明は、第１の室内側給気口または第２の室内側給気口のいずれか一方を開放し、他方を閉鎖する開閉手段を設けたものであり、使用者等が必要に応じて第１室内側給気口または第２の室内側給気口のいずれか一方を閉鎖することにより、居住者に向かう気流を少なくしてコールドドラフト感を与えることが緩和されるとともに、騒音対策を行なうことができるという作用を有する。
【００５１】
また、請求項１２記載の発明は、前記ターボファンで構成される給気用換気手段と、排気用換気手段とを一体的に設け、前記排気用換気手段と連通して設けた室外側排気口を前記室外側給気口と並設して設けたものであり、給気用と排気用の換気手段を一体的に設けることにより一本のダクトで給気と、排気を同時に行なうことができるという作用を有する。
【００５２】
以下、本発明の実施の形態について図面を参照しながら説明する。
【００５３】
（実施の形態１）
図１に示すように、内部にモータ取付板１により取り付けられ、その回転軸を壁面１０に対して垂直方向とするモータ２により駆動されるように、モータ２の前半分を略覆う形状のターボファン３を有し、室外側給気口４と室内側給気口５を設けて本体６を形成し、本体６内に設けたターボファン３から上方側に吐出した給気流を室内側給気口５に直接送る第１の通風路７とターボファン３から下方側に吐出された給気流を本体６の内側を通り室内側給気口５に送る第２の通風路８をターボファン３を駆動するモータ２を露出させ、ターボファン３の風上側にはフィルター９を設け、室外側給気口４が壁面１０を貫通して埋設したダクト１１に連通するように、本体６を壁面１０に取り付けて構成する。
【００５４】
上記構成において、換気装置を運転すると、モータ２によりターボファン３が駆動しダクト１１を通って室外の空気が吸い込まれ、空気中の粉塵がフィルター９で除去され、浄化された空気がターボファン３の上方側より第１の通風路７を通り室内側給気口５より室内に給気され、また、ターボファン３の下方側より第２の通風路８を通り、モータ２に接触して、モータ２を冷却した空気は、室内側給気口５より室内に給気されることとなる。
【００５５】
そして、ターボファン３の外周の２方向から吐出される空気の一方は、第１の通風路７を通り、他方は第２の通風路８を通り、室内側給気口５より給気されることとなり、ファンの一方向からのみ給気される場合と比較して給気風量が多くなるとともに、ターボファン３はモータ２の前半分を覆う形状に設けられることにより、モータ２とターボファン３を含めた寸法は小さくなり本体６の薄形化を図ることができ、また、第２の通風路８はターボファン３の反吸い込み側の空間を利用して形成できるので、本体６の厚み寸法を厚くする必要もないこととなる。
【００５６】
また、第２の通風路８を通る給気流がモータ２に接触して給気されることにより、モータ２の冷却効果が高められるとともに、モータ２の温度上昇が緩和されることにより、モータ２を小形化することが可能となり、全体として本体６の薄形化に寄与できることとなる。
【００５７】
（実施の形態２）
図２に示すように、第２の通風路８Ａが広くなるように、本体６Ａの前面の略中央部に湾曲部１２を設けるように膨出し、室内側給気口５Ａを第１の通風路７Ａに連通する第１の室内側給気口１３と、第２の通風路８Ａに連通する第２の室内側給気口１４とに分離し、第１の室内側給気口１３と第２の室内側給気口１４を本体６Ａの同一面に形成した構成とする。
【００５８】
上記構成において、換気装置が運転されると、ターボファン３に吸い込まれた外気の一方は、第１の通風路７Ａを通り第１の室内側給気口１３より室内に給気され、他方は、第２の通風路８Ａを通り、第１の室内側給気口１３と同一面に設けられている第２の室内側給気口１４より室内に給気されて換気が行われる。
【００５９】
そして、本体６Ａの前面の略中央部を湾曲部１２を設けるように膨出して第２の通風路８Ａを広くしていることにより、通風量が多くなって換気効率が向上するとともに、第２の通風路８Ａに露出するモータ２の露出量を多くすることが可能となり、モータ２の冷却効果が更に高められることとなる。
【００６０】
また、本体６Ａの前面の中央部を湾曲部１２により膨出していることにより、本体６Ａの前面壁がゆるやかに湾曲し、意匠的効果も高められることとなる。
【００６１】
また、第１の室内側給気口１３と第２の室内側給気口１４は、第１の通風路７Ａと第２の通風路８Ａにそれぞれ独立して連通し設けられていることにより第１の室内側給気口１３と第２の室内側給気口１４により開口面積を増やすことができ流路抵抗も少なくなって換気効率が高められることとなる。
【００６２】
また、第１の通風路７Ａと第２の通風路８Ａに仕切られた状態で第１の室内側給気口１３と第２の室内側給気口１４に連通していることにより、第１の通風路７Ａと第２の通風路８Ａ内を流れる給気流は互いに干渉されることがなくなり、互いに干渉することによる騒音の発生を防止できることとなる。
【００６３】
（実施の形態３）
図３に示すように、第２の通風路８Ｂ内にターボファン３Ａを駆動するモータ２Ａが突出する度合いを小さくするように、モータ２Ａが収納できる凹状のモータ取付板１Ａにより取り付ける構成とする。
【００６４】
上記構成において、換気装置を運転すると、ターボファン３Ａがモータ２Ａにより駆動され、ターボファン３Ａより一方の、第１の通風路７Ｂを通って室内側給気口５Ｂより給気され、ターボファン３Ａの他方の、第２の通風路８Ｂを通って室内側給気口５Ｂより給気されることとなる。
【００６５】
そして、モータ２Ａが第２の通風路８Ｂ内に突出する量を小さくすることにより第２の通風路８Ｂの通気抵抗が少なくなるとともに、ターボファン３Ａの翼片１５を凹状のモータ取付板１Ａに沿うように長く形成できることにより、ターボファン３Ａの能力が向上し、換気効率が高められることとなる。
【００６６】
（実施の形態４）
図４の示すように、第１の室内側給気口１３Ａを本体６Ｂの上面１６に設け、第２の室内側給気口１４Ａを本体６Ｂの前面１７に設けるように、第１の室内側給気口１３Ａと第２の室内側給気口１４Ａを本体６Ｂの異なる面に設け、第２の室内側給気口１４Ａに連通する第２の通風路８Ｃに流れる空気流を所定方向に吹き出すガイド部１８を第２の室内側給気口１４Ａに設け、室外側給気口４Ａと連通するダクト１１Ａおよびターボファン３Ｂの中心位置（ａ）を、本体６Ｂの中心位置（ｂ）より上方にずらし、第２の風通路８Ｃを形成するターボファン３Ｂと本体６Ｂの下面との空間１９を広げるように成形して構成する。
【００６７】
上記構成において、換気装置を運転すると、モータ２によりターボファン３Ｂが駆動し、ターボファン３Ｂの一方側より第１の通風路７Ｂを通り本体６Ｂの上面１６に設けた第１の室内側給気口１３Ａより給気され、ターボファン３Ｂの他方側より空間１９を通って第２の通風路８Ｃに送られ、本体６Ｂの前面１７側に設けられた第２の室内側給気口１４Ａより給気される。このとき、第２の室内側給気口１４Ａに設けたガイド部１８により所定の方向に向け給気されることとなる。
【００６８】
そして、第１の室内側給気口１３Ａと第２の室内側給気口１４Ａの位置を本体６Ｂの異なる面に設けることにより、第１の室内側給気口１３Ａと第２の室内側給気口１４Ａは互いに干渉されることがなくなり、第１の室内側給気口１３Ａと第２の室内側給気口１４Ａの開口面積を変えることが可能となり開口面積を増やすことにより換気効率の向上を図ることができることとなる。
【００６９】
また、第１の室内側給気口１３Ａを本体６Ｂの上面１６に設け、第２の室内側給気口１４Ａを本体６Ｂの前面１７に設けることにより、本体６Ｂを天井近傍に設置した場合には、第１の室内側給気口１３Ａのみが天井に対向することとなり天井の汚れが緩和されるとともに、本体６Ｂの前面１７には第２の室内側給気口１４Ａのみを設け、第２の室内側給気口１４Ａからの給気流は、ガイド部１８によって所定の方向にスムーズに案内され給気されることとなり、風向を調節することにより、居住者にコールドドラフト感を与えることおよび天井面に吹き出すのを少なくして天井面の汚れを緩和すること等の対策を取ることができることとなる。
【００７０】
また、室外側給気口４Ｂと連通するダクト１１Ａおよびターボファン３Ｂの中心位置（ａ）を本体６Ｂの中心位置（ｂ）より上方にずらし、第２の通風路８Ｃを形成するターボファン３Ｂと本体６Ｂ下面との空間１９を広げるように形成していることにより、本体６Ｂの厚み寸法を厚くすることなく第２の通風路８Ｃに流れ込ませる気流の流れが良好となり、通風抵抗も減少して換気効率も向上することとなる。
【００７１】
（実施の形態５）
図５に示すように、第１の室内側給気口１３Ｂまたは第２の室内側給気口１４Ｂのいずれか一方を開放し、他方を閉鎖する開閉手段２０を設け構成する。
【００７２】
上記構成において、開閉手段２０により第２の室内側給気口１４Ｂを閉鎖し、第１の室内側給気口１３Ｂを開放した状態で換気装置を運転すると、モータ２により駆動されたターボファン３Ｂからの給気流は、第１の通風路７Ｂのみを通り、第１の室内側給気口３Ｂより給気されることとなる。また、開閉手段２０を操作して第１の室内側給気口１３Ｂを閉鎖し、第２の室内側給気口１４Ｂを開放することにより、ターボファン３Ｂからの給気流は第２の通風路８Ｂのみに流れ、第２の室内側給気口１４Ｂより給気されることとなる。
【００７３】
そして、第１の室内側給気口１３Ｂまたは第２の室内側給気口１４Ｂのいずれか一方が開閉手段２０により閉鎖されることにより、居住者に向かう気流を少なくしてコールドドラフト感を与えることが緩和されるとともに、騒音対策を行うことができることとなる。
【００７４】
（実施の形態６）
図６に示すように、室外側給気口４Ｃに室外側排気口２１が並設されるように、ターボファンで構成される給気用換気手段２２と排気用換気手段２３を一体的に設け、壁面１０Ａを貫通して給気路２４と排気路２５を設けた２層管ダクト２６を介して屋外と連通し、２層管ダクト２６の屋外側には屋外フード２７を設け構成する。
【００７５】
上記構成において、換気装置を運転すると、給気用換気手段２２により２層管ダクト２６の給気路２４より外気を吸気し、室内に給気するとともに、排気用換気手段２３により室内の空気を２層管ダクト２６の排気路２５を介して屋外に排気し、給気と排気を同時に行うことができることとなる。
【００７６】
そして、給気用換気手段２２と排気用換気手段２３を一体的に設けることにより、一本の２層管ダクト２６で給気と排気を同時に行うことができることとなり、配管施工作業時の壁への穴あけ作業が一ヶ所になるので省施工となる。また、屋外フードも１台で対応できるのでエクステリア性の向上にもなる。また、風路圧損が排気用換気手段２３の方が給気用換気手段２２より小さいので、排気用換気手段２３は、給気用換気手段２２と同等以下の薄さでつくることができ、給気用換気手段２２と排気用換気手段２３を並設することにより、給気用換気手段２２と排気用換気手段２３とを備えた本体の薄形化できることとなる。
【産業上の利用可能性】
【００７７】
本体内に１つのターボファンにより第１の通風路と第２の通風路を形成する手段を用いることによって熱交換器を組み込んだ換気扇の用途にも適用できる。
【図面の簡単な説明】
【００７８】
【図１】本発明の実施の形態１の換気装置の設置状態を示す断面図
【図２】本発明の実施の形態２の換気装置の設置状態を示す断面図
【図３】本発明の実施の形態３の換気装置の設置状態を示す断面図
【図４】本発明の実施の形態４の換気装置の設置状態を示す断面図
【図５】本発明の実施の形態５の換気装置の設置状態を示す断面図
【図６】本発明の実施の形態６の換気装置の設置状態を示す断面図
【図７】従来の壁取付用換気扇の設置状態を示す断面図
【図８】従来のパイプファンの設置状態を示す断面図
【符号の説明】
【００７９】
１Ａ    モータ取付板
２      モータ
２Ａ    モータ
３      ターボファン
３Ａ    ターボファン
３Ｂ    ターボファン
４      室外側給気口
４Ａ    室外側給気口
４Ｃ    室外側給気口
５      室内側給気口
５Ａ    室内側給気口
６      本体
６Ａ    本体
６Ｂ    本体
７      第１の通風路
７Ａ    第１の通風路
８      第２の通風路
８Ａ    第２の通風路
８Ｂ    第２の通風路
８Ｃ    第２の通風路
１０    壁面
１１Ａ  ダクト
１２    湾曲部
１３    第１の室内側給気口
１３Ａ  第１の室内側給気口
１３Ｂ  第１の室内側給気口
１４    第２の室内側給気口
１４Ａ  第２の室内側給気口
１４Ｂ  第２の室内側給気口
１６    上面
１７    前面
１８    ガイド部
１９    空間
２０    開閉手段
２１    室外側排気口
２２    給気用換気手段
２３    排気用換気手段
【図１】
2006029616.tif 000003
【図２】
2006029616.tif 000004
【図３】
2006029616.tif 000005
【図４】
2006029616.tif 000006
【図５】
2006029616.tif 000007
【図６】
2006029616.tif 000008
【図７】
2006029616.tif 000009
【図８】
2006029616.tif 000010